(57)【要約】【課題】パーソナルコンピュータ等の電子機器の携帯性、可搬性を有する携帯用電源や、緊急性電源として用いられ、外部機器と互換可能な外形形状を有し、長時間の使用に耐える容量の増加を図る。【解決手段】３つの非水電解質電池３０ａ、３０ｃ、３０ｅを直列接続してセル電池ブロックＡとし、同様に２つの非水電解質電池３０ｂ、３０ｄ及び３０ｆを直列接続してセル電池ブロックＢを構成する。セル電池ブロックＡ及びＢを並列接続した後、フレキシブル基坂１８を折曲して夫々重ね合わせ、ドライブ−ベイ内のスロットに着脱可能な外形寸法の電池ブロックを構成する。この電池ブロックに制御回路３１、コネクタを接続して交換機器サイズのバッテリーパックとする。【選択図】　　　　図５
2004095357.tif 000002
【特許請求の範囲】
【請求項１】
正極端子リード及び負極端子リードを有し且つ充電及び放電可能な発電要素と、上記正極端子リード及び負極端子リードを外部に導出させて上記発電要素を収納して密閉する外装体とを有する非水電解質電池を１セルとし、上記１セル非水電解質電池の複数個を直列及び／又は並列に接続したことを特徴とする電池ブロック。
【請求項２】
上記正極端子リード及び負極端子リードを同一平面上で外部に導出させた非水電解質電池４個を一度に直列及び／又は並列に接続してセル電池ブロックを構成し、上記セル電池ブロックの２個を直列又は並列に接続したことを特徴とする請求項１記載の電池ブロック。
【請求項３】
直列接続して電池ブロックを構成する非水電解質電池同士は、夫々の正極端子リード及び負極端子リードをフレキシブル基板に溶接した後、上記フレキシブル基板を折り曲げることにより重ね合わされ、交換機器サイズの外形寸法を有する６セル構成の電池ブロックとしたことを特徴とする請求項１記載の電池ブロック。
【請求項４】
上記正極端子リード及び負極端子リードを同一平面上で
外部に導出させた非水電解質電池の３個を直列接続して１セル電池ブロックを構成し、上記１セル電池ブロックを２個並列接続したことを特徴とする請求項１記載の電池ブロック。
【請求項５】
８セルが接続されたフレキシブル基板を折り曲げることにより重ね合わされ、交換機器サイズの外形寸法を有する８セル構成の電池ブロックとしたことを特徴とする請求項２記載の電池ブロック。
【請求項６】
上記正極端子リード及び負極端子リードを同一平面上の外部に導出させた非水電解質電池は、外形寸法がセルの厚み５ｍｍ以上のとき、上記セルの厚みに対する対角寸法が１３倍以上で２０倍以下であることを特徴とする請求項１記載の電池ブロック。
【請求項７】
上記４セルの非水電解質電池の夫々の正極端子リード及び負極端子リードを同一平面上で外部に導出させた上記非水電解質電池の４個を直列接続して構成したことを特徴とする請求項１記載の電池ブロック。
【請求項８】
直列接続された上記４セル非水電解質電池の夫々の正極端子リード及び負極端子リードの上記２セル非水電解質電池同士を対向させてフレキシブル基板に溶接した後、交換機器サイズの外形寸法を有する４セル構成の電池ブロックとすることを特徴とする請求項７記載の電池ブロック。
【請求項９】
上記３セルの非水電解質電池の夫々の正極端子リード及び負極端子リードを同一平面上で外部に導出させた非水電解質電池を直列接続して構成したことを特徴とする請求項１記載の電池ブロック。
【請求項１０】
上記正極端子リード及び負極端子リードを同一平面上で外部に導出させた非水電解質電池は、外形寸法がセルの厚み１０ｍｍ以上のとき、上記セルの厚みに対する対角寸法が６倍以上で１１倍以下であることを特徴とする請求項７記載の電池ブロック。
【請求項１１】
正極端子リード及び負極端子リードを有し充電及び放電可能な発電要素と、上記端子リードを外部に導出させて上記発電要素を収納して密閉する外装体とを有する非水電解質電池を１セルとし、この１セルの正極端子リード及び負極端子リードを同一平面上で外部に導出させた非水電解質電池の複数個を直列及び／又は並列接続して構成する電池ブロックと、上記電池ブロックを構成する上記各非水電解質電池の端子リードに接続される制御回路と、上記制御回路に電気的に接続され、上記外装体に固定されると共に、外部機器に接続されるコネクタとを一体に構成し、交換機器サイズの外形寸法を有することを特徴とする交換機器サイズのバッテリーパック。
【発明の詳細な説明】
【０００１】
【発明の属する技術分野】
本発明は、複数セルの非水電解質電池から成る電池ブロック及び携帯型のパーソナルコンピュータ等に装備される交換機器と互換可能な外形寸法を有する交換機器サイズのバッテリーパックに関する。
【０００２】
【従来の技術】
一般に、パーソナルコンピュータ等の携帯性、可搬性を考慮した情報処理装置は、交流（ＡＣ）電源が容易に得られない場所においても使用できるようにバッテリー電源を内蔵したり、バッテリーパックを外部から着脱可能に装着できるよう構成されている。
【０００３】
【発明が解決しようとする課題】
パーソナルコンピュータ等のような情報処理装置を長時間に亘って使用するためには、大容量で大型サイズのバッテリーパックを装着するか、別に予備のバッテリーパックを準備しておく必要がある。この場合には、バッテリーパック自体がある程度の大きさを有することから、持ち運びに難があり、携帯性を損なうことになる。
【０００４】
また、大容量のバッテリーパックを準備していても、容易に交流（ＡＣ）電源が得られない場所では、長時間の使用により電池切れが生じデータを喪失してしまう虞がある。携帯電話では、比較的入手し易い一時電池を使用したコネクタや一次電池パックを用いた簡易充電器が市販されているがパーソナルコンピュータ等では消費電力が大きいため実用化されていない。
【０００５】
一方、最近の携帯型のほとんどのパーソナルコンピュータ等では限られたサイズ内で機能を変更したり、拡張するためのドライブ−ベイを備えている。このドライブ−ベイは、ＣＤや、ＤＶＤ等のディスク装置や、フロッピー（登録商標）ディスク装置、セコンド（２ｎｄ）ハードディスク装置、ＰＣカードスロット等の異なる機能を有する交換機器を選択して装備し、動作させる時のために設けられている。
【０００６】
これらの交換機器を使用しない場合には、このドライブ−ベイスロットは、空いているので、このベイスロットに同サイズのバッテリーパックを挿入して使用してもパーソナルコンピュータ等の携帯性を損なうことはない。
【０００７】
また、バッテリーパックを構成する電池群に着目すると、一般にＣＤやＤＶＤの直径は、１２０ｍｍであるため、このベイスロット内に挿入できる電池群は、高さが１２０ｍｍ以内であって、容量を大きく取るため出来るだけサイズを大きくしたい。また、ベイスロットの内寸は、１１ｍｍ程度であり、直径がφ１８やφ１７ｍｐの円筒型電池は用いられず角型電池が使用されている。
【０００８】
しかしながら、この角型電池の使用に際しても問題が生じていた。即ち、角型電池では缶の深絞り成形を行うため、サイズを大きくしたくても高さ７０ｍｍ以上は、実現できず、実際は、厚み１０ｍｍ、高さ５０ｍｍの角型電池を１セルとして、ベイスロット内に６セルの角型電池を内臓させているのが実情である。
【０００９】
パーソナルコンピュータ等の情報機器の主電源として用いられるリチウムイオン電池は、３セル直列接続か、４セル直列接続のいずれかを採用できたが、この角型電池を使用する場合は、寸法上の制限から３セル直列接続にしか対応できなかった。
【００１０】
また、角型電池の場合、一般に端子のサイズが小さいので、パック化した場合、小さい端子からリードへの溶接はむずかしく、またリードを外部に導出させていない構造上、まとめて溶接が出来ず、溶接箇所も１６箇所と多いので加工性が悪いという欠点もあった。
【００１１】
本発明は、上述の実情に鑑みてなされたものであり、正極端子リード及び負極端子リードを同一平面上に外部に導出させた非水電解質電池の複数セルを直列及び／又は並列接続して構成され、ドライブ−ベイスロット内を有効活用する外形寸法の、交換機器と互換可能で長時間の使用に耐えるよう容量を増すことのできる電池ブロック及びこの電池ブロックに接続される制御回路及びコネクタを含んで構成される交換機器サイズのバッテリーパックを提供することを目的とする。
【００１２】
【課題を解決するための手段】
上述したような課題等を解決し、上記目的を達成するために、本出願の請求項１記載の非水電解質電池から成る電池ブロックは、正極端子リード及び負極端子リードを有し且つ充電及び放電可能な発電要素と、上記正極端子リード及び負極端子リードを外部に導出させて上記発電要素を収納して密閉する外装体とを有する非水電解質電池を１セルとし、上記１セル非水電解質電池の複数個を直列及び／又は並列に接続したことを特徴としている。
【００１３】
本出願の請求項２に記載の電池ブロックは、上記正極端子リード及び負極端子リードを同一平面上で外部に導出させた非水電解質電池４個を一度に直列及び／又は並列に接続してセル電池ブロックを構成し、上記セル電池ブロックの２個を接続したことを特徴としている。
【００１４】
本出願の請求項３に記載の電池ブロックは、直列接続して電池ブロックを構成する非水電解質電池同士は、夫々の正極端子リード及び負極端子リードをフレキシブル基板に溶接した後、上記フレキシブル基板を折り曲げることにより重ね合わされ、交換機器サイズの外形寸法を有する６セル構成の電池ブロックとしたことを特徴とする。
【００１５】
本出願の請求項４に記載の電池ブロックは、上記正極端子リード及び負極端子リードを同一平面上で外部に導出させた非水電解質電池の３個を直列接続して１セル電池ブロックを構成し、上記１セル電池ブロックを２個並列接続したことを特徴としている。
【００１６】
本出願の請求項５に記載の電池ブロックは、８セルが接続されたフレキシブル基板を折り曲げることにより重ね合わされ、交換機器サイズの外形寸法を有する８セル構成の電池ブロックとしたことを特徴とする
【００１７】
本出願の請求項６に記載の電池ブロックは、上記正極端子リード及び負極端子リードを同一平面上の外部に導出させた非水電解質電池は、外形寸法がセルの厚み５ｍｍ以上のとき、上記セルの厚みに対する対角寸法が１３倍以上で２０倍以下であることを特徴としている。
【００１８】
本出願の請求項７に記載の電池ブロックは、上記４セルの非水電解質電池の夫々の正極端子リード及び負極端子リードを同一平面上で外部に導出させて上記非水電解質電池の４個を直列接続して構成したことを特徴としている。
【００１９】
本出願の請求項８に記載の電池ブロックは、直列接続された上記４セル非水電解質電池の夫々の正極端子リード及び負極端子リードの上記２セル非水電解質電池同士を対向させてフレキシブル基板に溶接した後、交換機器サイズの外形寸法を有する４セル構成の電池ブロックとすることを特徴としている。
【００２０】
本出願の請求項９に記載の電池ブロックは、上記３セルの非水電解質電池の夫々の正極端子リード及び負極端子リードを同一平面上で外部に導出させた非水電解質電池を直列接続して構成したことを特徴としている。
【００２１】
本出願の請求項１０に記載の電池ブロックは、上記正極端子リード及び負極端子リードを同一平面上で外部に導出させた非水電解質電池は、外形寸法がセルの厚み１０ｍｍ以上のとき、上記セルの厚みに対する対角寸法が６倍以上で１１倍以下であることを特徴としている。
【００２２】
本出願の請求項１１に記載の交換機器サイズのバッテリーパックは、正極端子リード及び負極端子リードを有し充電及び放電可能な発電要素と、上記端子リードを外部に導出させて上記発電要素を収納して密閉する外装体とを有する非水電解質電池を１セルとし、この１セルの正極端子リード及び負極端子リードを同一平面上で外部に導出させた非水電解質電池の複数個を直列及び／又は並列接続して構成する電池ブロックと、上記電池ブロックを構成する上記各非水電解質電池の端子リードに接続される制御回路と、上記制御回路に電気的に接続され、上記外装体に固定されると共に、外部機器に接続されるコネクタとを一体に構成し、交換機器サイズの外形寸法を有することを特徴としている。
【００２３】
上記構成としたことにより、本出願の請求項１記載の正極端子リード及び負極端子リードを同一平面上で外部に導出させた非水電解質電池から成る電池ブロックは、パーソナルコンピュータ等の消費電力パターンに応じた複数個を直列及び／又は並列に接続した上記非水電解質電池セルを選択して用いることができ、携帯性、緊急性に対応して長時間の使用を可能とする。
【００２４】
本出願の請求項２記載の正極端子リード及び負極端子リードを同一平面上で外部に導出させた非水電解質電池から成る電池ブロックは、６セルの直並列接続を構成してパーソナルコンピュータ等の所定の消費電力容量に対応できる。
【００２５】
本出願の請求項３記載の正極端子リード及び負極端子リードを同一平面上で外部に導出させた非水電解質電池から成る電池ブロックは、６セル構成の外形寸法を交換機器サイズの外形寸法に合わせ互換可能とした。
【００２６】
本出願の請求項４記載の正極端子リード及び負極端子リードを同一平面上で外部に導出させた非水電解質電池から成る電池ブロックは、８セルの直並列接続を構成してパーソナルコンピュータ等の所定の消費電力容量に対応できる。
【００２７】
本出願の請求項５記載の正極端子リード及び負極端子リードを同一平面上で外部に導出させた非水電解質電池から成る電池ブロックは、８セル構成の外形寸法を交換機器サイズの外形寸法に合わせ互換可能とした。
【００２８】
本出願の請求項６記載の電池ブロックは、正極端子リード及び負極端子リードを同一平面上で外部に導出させた非水電解質電池の１セルの所定の厚みに対する対角寸法を大きく取ることにより容量を増し、パーソナルコンピュータ等の長時間使用の要望に応えることができる。
【００２９】
本出願の請求項７記載の４セルの正極端子リード及び負極端子リードを同一平面上で外部に導出させた非水電解質電池を４個直列接続して構成した電池ブロックは、パーソナルコンピュータ等の所定の消費電力容量に対応できる。
【００３０】
本出願の請求項８記載の正極端子リード及び負極端子リードを同一平面上で外部に導出させた非水電解質電池から成る電池ブロックは、４セル構成の外形寸法を交換機器サイズの外形寸法に合わせ互換可能とした。
【００３１】
本出願の請求項９記載の正極端子リード及び負極端子リードを同一平面上で外部に導出させた非水電解質電池から成る電池ブロックは、３セルの直列接続を構成してパーソナルコンピュータ等の所定の消費電力容量に対応できる。
【００３２】
本出願の請求項１０記載の正極端子リード及び負極端子リードを同一平面上で外部に導出させた非水電解質電池の１セルの所定の厚みに対する対角寸法を大きく取ることにより容量を増し、パーソナルコンピュータ等の長時間使用の要望に応えることができる。
【００３３】
本出願の請求項１１記載の交換機器サイズのバッテリーパックは、交換機器と互換可能とすることにより、拡張性、携帯性を損なうことなくパーソナルコンピュータ等の長時間の使用を可能とできる。
【００３４】
【発明の実施の形態】
以下、本発明の実施の形態を添付図面を参照して説明する。
図１は、本発明の一実施形態である巻回電極体を構成する以前の帯状状態の各層の配置を模式的に示す図、図２は、本発明の一実施形態である巻回電極体の構成を示す斜視図、図３は、本発明の外装体及び発電要素の形状を示す分解斜視図、図４は、図３の組み立て後の斜視図、図５は、本発明の第１の実施例を示す複数セル電池の接続関係を示す図、図６は、同実施例における電池ブロックの外形を示す斜視図、図７は、本発明の第２の実施例を示す複数セル電池の接続関係を示す図、図８は、同実施例における電池ブロックの外形を示す斜視図、図９は、本発明の第３の実施例を示す複数セル電池の接続関係を示す図、図１０は、同実施例における電池ブロックの外形を示す斜視図、図１１は、本発明の第４の実施例を示す複数セル電池の接続関係を示す図、図１２は、同実施例における電池ブロックの外形を示す斜視図、図１３は、ノートブックコンピュータのベイスロットに交換機器と本発明のバッテリーパックが互換可能に装備されることを説明する斜視図、図１４は、本発明との比較例を示す複数セルのリチウムイオン電池から成る電池ブロックの接続関係を示す図である。
【００３５】
本発明は、複数セルの正極端子リード及び負極端子リードを同一平面上で外部に導出させた非水電解質電池から成る電池ブロック及び携帯型のパーソナルコンピュータ等に装備される交換機器と互換可能な外形寸法を有するバッテリーパックを提供し、携帯用電源、或いは予備の電源として用いる。
【００３６】
本発明の電池ブロック及び上記電池ブロックから構成されるバッテリーパックは、例えば、ノートブックコンピュータに対して図１３に示すように装着され用いられる。
【００３７】
図１３に示すノートブックコンピュータ４０の本体に設けられたドライブ−ベイ４１は、右側方から例えばＣＤ−ＲＯＭドライブ装置４２が挿入され、上記本体内に装着される。
【００３８】
上記ＣＤ−ＲＯＭドライブ装置４２でビデオＣＤの動画再生や、ＣＤ−ＲＯＭのゲームソフトなどの操作を終了した後は、ドライブ−ベイ４１から上記ＣＤ−ＲＯＭドライブ装置４２を抜き取っても支障はない。
【００３９】
その後、図上仮想線で示す本発明のバッテリーパック４３を上記ＣＤ−ＲＯＭドライブ装置４２に換えてドライブ−ベイ４１内に挿入し、装着する。このとき、バッテリーパック４３の一側面に装着されたコンタクト３２ａは、コンタクト３２ｂと嵌合されて、上記本体内に装着される。
【００４０】
次に、本発明の１セルを構成する非水電解質電池及び複数セルから構成される電池ブロックについて説明する。
本発明の電池ブロックを構成する複数セルの各ポリマーリチウムイオン二次電池は、例えば、固体電解質電池、あるいはゲル状電解質電池、液系電解質電池などを総称する正極端子リード及び負極端子リードを同一平面上で外部に導出させた非水電解質電池である。
【００４１】
充電及び放電のための端子リードを有する発電要素としてのポリマーリチウムイオン二次電池は、例えば、図１及び図２に示すように巻回電極体として構成される。
【００４２】
図１は、巻回電極体を構成する以前の帯状状態の各層の配置を模式的に示し、正極１０は、帯状に形成される正極集電体１０ａと、この正極集電体１０ａの両面に塗布される正極合剤層１０ｂ、１０ｃとで構成される。正極合剤層１０ｂ、１０ｃは、正極合剤スラリーを均一に塗布することによって得られる。
【００４３】
正極集電体１０ａは、例えば、厚さ２０μｍのアルミニウム箔を用いることが出来る。この際、正極集電体１０ａの長手方向の巻き終わり側の一端には、一定の長さに亘ってブランク部１４が形成される。このブランク部１４には、正極合剤スラリーは、塗布されない。
【００４４】
正極１０に相対してセパレータ１２を介在させて負極１１が配される。負極１１は、帯状に形成される負極集電体１１ａと、この負極集電体１１ａの両面に塗布される負極合剤層１１ｂ、１１ｃとで構成される。
【００４５】
正極１０と負極１１の内周側表面には、互いに平行に並ぶように、帯状の正極、負極の長手方向に直角に正極端子リード１５と負極端子リード１６とをそれぞれ配置する。
【００４６】
負極１１、セパレータ１２、正極１０、及びセパレータ１３を順に積層して、これら帯状体を一端から他端まで巻回させる。その後、図２に示すように側方から押圧して偏平させた後、粘着テープを使用して巻き終わり部を固定する。このようにして偏平形状とされた渦巻き状の巻回電極体５が作成される。
【００４７】
この場合のセパレータ１２，１３は、例えば、微多孔性のポリプロピレンフィルムを用い、厚さは２５μｍ程度である。
巻回電極体５は、図３に示すように正極端子リード１５と負極端子リード１６とを外部に導出させた状態で外装体６内に包み込み、周囲の接触面を熱溶着して密封する。外装体６の材質としては、例えば、アルミラミネートフィルムを用いることが出来る。
【００４８】
このアルミラミネートフィルム材を幅広の長方形に形成し、長手方向の中央部で２つに折り曲げて本体片６ａと、蓋体片６ｂを形成する。中央の折り曲げ辺を除く他の３辺に適当な幅の縁取り部６ｃを設け、その縁取り部６ｃの内側に巻回電極体５が収納できる容積の膨出部１８を設ける。
【００４９】
膨出部１８は、巻回電極体５の外形に合うように深絞り加工を施すことで成形される。この膨出部１８の内面に設けられた凹部１９に巻回電極体５が収納された後、本体片６ａと蓋体片６ｂとを重ね合わせる。
これにより、巻回電極体５が本体片６ａと蓋体片６ｂとによって、包み込まれる。
【００５０】
次に、フィルム材６の中央の折り曲げ辺と平行に対向する辺である本体片６ａの縁取り部６ｃと、重ね合わされた蓋体片６ｂの１辺との対向する周縁部を熱溶着などの固着手段によって固着する。これにより、正極及び負極の両端子１５，１６が、膨出部１８の凹部１９の内側面によってクランク状に屈折され、屈折部１５ａ，１６ａと、引き出し部１５ｂ、１６ｂが形成される。
【００５１】
その後、本体片６ａの残った２辺、即ち、折曲辺と直交する側面で対向する２辺の縁取り部６ｃと、これに重ね合わされた蓋体片６ｂの２辺の周縁部を真空ヒートシール機を用いてシールして固着する。これにより、外装体６の膨出部１８の周囲が密着され、２本の正極及び負極の両端子１５，１６の引き出し部１５ｂ、１６ｂが外部に導出された状態で、巻回電極体５が外装体６に封止される。
【００５２】
次に、外装体６の側面の２辺のシール部を、膨出部１８の根元部と、シール部の中途部の２箇所で膨出部１８側に略９０度ずつ２回折り曲げる。その結果、図４に示すように、２辺のシール部をそれぞれ２つに折り曲げて重ね合わせ、互いに平行な２つの囲い壁２０、２０を形成する。この囲い壁２０の高さは、膨出部１８の高さと同程度の高さに設定する。
【００５３】
このようにして形成された図４から明らかなように正極端子リード１５と負極端子リード１６側の溶着部とポリマーリチウムイオン電極素子端面との間には、クランク状の段差２１が生じている。
【００５４】
更に、外装体６から露出している正極端子リード１５と負極端子リード１６の先端をカットして長さが調節され、本発明の正極端子リード及び負極端子リードを同一平面上で外部に導出させた非水電解質電池ロック非水電解質電池の１セル例えば、ポリマーリチウムイオン二次電池３０が完成する。
【００５５】
次に、具体的数値を用いて本発明の正極端子リード及び負極端子リードを同一平面上で外部に導出させた非水電解質電池の１セルの構成及び複数セルを直並列接続して構成される電池ブロックの実施例について説明する。
尚、非水電解質電池の１セルの構成は、図１乃至図４に示す参照番号を用いて説明し、複数セルを直並列接続して構成される電池ブロックの実施例については、図５乃至図１２を参照して説明する。
【００５６】
実施例１
正極１０は、帯状に形成される正極集電体１０ａと、この正極集電体１０ａの両面に塗布される正極合材層１０ｂ、１０ｃとから構成されている。正極合剤層１０ｂ、１０ｃは、正極合剤スラリーを正極集電体１０ａの両面に均一に塗布することにより形成される。
【００５７】
正極合剤スラリーは、正極活物質を用いて作成されるが、本実施例では、正極活物質として、ＬｉＣｏＯ２を８５重量部、人造黒鉛粉末を５重量部カーボンブラックを５重量部の割合で充分混合した後、Ｎ−メチル−２−ピロリドンに溶かしたポリ弗化ビニリデン（ＰＶｄＦ）を固形分として５重量部となるように加え、インク状の正極スラリーとした。
【００５８】
この正極合剤スラリーを厚さ２０μｍのアルミ箔（集電体）上に金属箔露出部分を残して両面を間欠塗布した。乾燥後、ローラープレス機により圧延した。圧延後、正極原反を裁断し、巻き取った後に真空乾燥処理した。
【００５９】
この正電極リールを巻きほどき、金属箔露出部分にアルミニウムの正極端子リード１５を接続する。この正極端子リード１５の大きさは、例えば、幅５ｍｍ、長さ７０ｍｍ、厚さ１００μｍ、として形成され、電極の端面から１７．５ｍｍ以上延出するようにして超音波溶接によって接合する。
【００６０】
その後、幅１９ｍｍの絶縁テープ（ポリイミドテープ：絶縁材）を端子リード１５が溶接された金属箔露出部分の表裏面に貼り付けた。この絶縁テープは、電極端面から突き出した正極端子リード１５に２ｍｍ以上かかるように貼り付けた。以上の工程は、連続的に行われ、帯状の電極は、再び巻き取られる。
【００６１】
また、正極用のイオン伝導性ポリマーとして、ジメチルカーボネート（ＤＭＣ）に溶かしたポリ弗化ビニリデン（ＰＶｄＦ）を固形分として２０重量部となるように加え、これに８重量部となるようにリチウム塩を加え、これに７２重量部となるようにエチレンカーボネート（ＥＣ）と、プロピレンカーボネート（ＰＣ）を加え、保温しながら攪拌して混合溶液とした。
【００６２】
この混合溶液を、ホットメルトアプリケータを用いて正極電極材の両面、即ち、正極合剤スラリーの面上に連続的に塗工した。塗工されたイオン導電性ポリマーの混合溶液は、乾燥することにより正極合剤スラリーを構成する活物質内部の空隙に含侵されると共に、低沸点溶媒であるジメチルカーボネート（ＤＭＣ）が蒸発してゴム状のゲルポリマー膜が形成された。このイオン導電性ポリマーは、連続的に塗工され、その後帯状の端子リード付きの正極１０が再び巻き取られる。
【００６３】
一方、負極１１は、帯状に形成される負極集電体１１ａと、この負極集電体１１ａの両面に塗布される負極合材層１１ｂ、１１ｃとから構成されている。負極合剤層１１ｂ、１１ｃは、負極合剤スラリーを負極集電体１１ａの両面に均一に塗布することにより形成される。
【００６４】
負極合剤スラリーは、負極活物質を用いて作成される。負極活物質としては、例えば、リチウムと合金あるいは化合化可能な金属，半導体、又はこれらの合金あるいは化合物を挙げることができる。
【００６５】
このような負極活物質を用いて負極合材スラリーは、例えば、粒子径５〜２５μｍの天然黒鉛９０重量部（層間距離３．３５Å）、Ｎ−メチル−２−ピロリドンに溶かしたＰＶｄＦを固定分として１０重量部となるように加え、インク状の負極スラリーとした。
【００６６】
この負極合剤スラリーを厚さ１５μｍのアルミ箔（集電体）上に金属箔露出部分を残して両面を間欠塗布した。乾燥後、ローラープレス機により圧延した。圧延後、負極原反を裁断し、巻き取った後に真空乾燥処理した。
【００６７】
この負電極リールを巻きほどき、金属箔露出部分にニッケルの負極端子リード１６を接続する。この端子リード１６の大きさは、例えば、幅５ｍｍ、長さ７０ｍｍ、厚さ１００μｍ、として形成され、電極の端面から１５ｍｍ以上延出するようにして超音波溶接によって接合する。
【００６８】
その後、幅１９ｍｍの絶縁テープ（ポリイミドテープ：絶縁材）を端子リード１６が溶接された金属箔露出部分の表裏面に貼り付けた。この絶縁テープは、電極端面から突き出した端子リード１６に２ｍｍ以上かかるように貼り付けた。以上の工程は、連続的に行われ、帯状の電極は、再び巻き取られる。
【００６９】
また、負極用のイオン伝導性ポリマーとしては、正極電極に用いたと同じ混合溶液を準備した。この混合溶液を、ホットメルトアプリケータを用いて負極電極材の両面、即ち、負極合剤スラリーの面上に連続的に塗工した。
【００７０】
塗工されたイオン導電性ポリマーの混合溶液は、乾燥することにより負極合剤スラリーを構成する活物質内部の空隙に含侵されると共に、低沸点溶媒であるジメチルカーボネート（ＤＭＣ）が蒸発してゴム状のゲルポリマー膜が形成された。このイオン導電性ポリマーは、連続的に塗工され、その後、帯状の端子リード付きの負極１１が再び巻き取られる。
【００７１】
このようにして作製した正極１０と負極１１は、セパレータ１２、１３を介して帯状体の一端から他端まで巻回させ、側方から押圧して偏平させた後、粘着テープを使用して巻き終わり部を固定する。
【００７２】
このようにして偏平形状とされた渦巻き状の巻回電極体５が、正極端子リード１５と負極端子リード１６が側面から平行して取り出された状態で得られる。上記巻回電極体５は、図３及び図４に示したように外装体６に収納され第１の実施例におけるポリマーリチウムイオン二次電池３０の１セルが得られる。
【００７３】
上述した工程を経て、外形寸法の厚さを５．５ｍｍ、幅を４１．０ｍｍ、端子リード部を除く高さ１００ｍｍの１セルの電池が作製され、その対角寸法は、１０５ｍｍとなった。このとき、１セルの電池の厚さに対する対角寸法は、１９．１倍である。
【００７４】
次に、第１の実施例の電池ブロックの作成について図５及び図６を参照して説明する。
本実施例は、予め制御回路が接続されているフレキシブル基板に、３セルの電池を直列接続し電池ブロックを構成し、その後、２セルブロックを接続する構成である。
【００７５】
図５に示すように、セル電池３０ａ、３０ｃ，３０ｅの夫々の正極端子リード１５ａ、１５ｃ，１５ｅと負極端子リード１６ａ、１６ｃ，１６ｅをフレキシブル基板に一度に接続し、３つのセル電池を直列接続したセル電池ブロックＡを構成する。
【００７６】
同様に、セル電池３０ｂ、３０ｄ、３０ｆの夫々の正極端子リード１５ｂ、１５ｄ、１５ｆと負極端子リード１６ｂ、１６ｄ、１６ｆをフレキシブル基板１８に一度に溶接し、３つのセル電池を直列接続したセル電池ブロックＢを構成する。
【００７７】
セル電池の正極端子リード１５ａ、１５ｂ及び負極端子リード１６ａ、１６ｂの夫々のリード先端は、夫々同様な溶接端子１７を介在させて共通のフレキシブル基板１８に溶接され、並列接続される。又、セル電池の正極端子リード１５ｃ、１５ｄ及び負極端子リード１６ｃ、１６ｄの夫々のリード先端は、夫々同様な溶接端子１７を介在させて共通のフレキシブル基板１８に溶接され、並列接続される。同様に、セル電池の正極端子リード１５ｅ、１５ｆ及び負極端子リード１６ｅ、１６ｆの夫々のリード先端は、夫々同様な溶接端子１７を介在させて共通のフレキシブル基板１８に溶接され、並列接続される。
【００７８】
次に、フレキシブル基板１８を図示一点鎖線１９で示す位置で矢印に示す方向に折り曲げる。その結果、図６に示すように、一体化された電池ブロックが完成する。このとき、制御回路３１は、折曲されたフレキシブル基板１８内に内包される。
【００７９】
このようにして得られた制御回路３１を含む電池ブロック全体のサイズは、厚み１１ｍｍ、幅１２５ｍｍ、高さ１０５ｍｍである。
【００８０】
上記電池ブロックは、セル電池ブロックＡの側面にコネクタ３２を配設し、２つのセル電池ブロックＡ，Ｂ，制御回路３１及びコネクタ３２で本実施例のバッテリーパックを構成する。このバッテリーパックの容量は、４９Ｗｈであった。
【００８１】
このバッテリーパックの電池ブロック部分は、内寸法が厚み１１ｍｍ、幅１２５ｍｍ、高さ１０５ｍｍサイズのドライブ−ベイ内スロットに着脱自在に装着される。
【００８２】
パーソナルコンピュータ等で内蔵されているドライブ−ベイは、ＣＤや、ＤＶＤ等のディスク装置や、フロッピー（登録商標）ディスク装置、セコンド（２ｎｄ）ハードディスク装置、ＰＣカードスロット等の異なる機能を選択し、動作させるため設けられているが、これらの装置を使用しない場合には、このドライブ−ベイ内スロットを有効活用するため交換機器と互換可能な上述した外形寸法のバッテリーパックを製作し、装着することにより、携帯用電源、或いは予備の緊急用電源として用いることができ、パーソナルコンピュータ等の使用時間を延長することができる。
【００８３】
実施例２
次に、図７及び図８を参照して本発明の第２の実施例について説明する。
この第２の実施例における１セルのポリマーリチウムイオン二次電池の製造工程は、第１の実施例における製造工程と基本的に同一である。
【００８４】
図７及び図８に示す１セル電池の外形寸法は、第１の実施例において、正極原反及び負極原反を裁断して帯状の正極及び負極を形成する際の裁断幅を替えることによって製作された巻回電極体に対し、深絞り成形するアルミラミネートフィルムの外装材のサイズを変えて外装体として装着して得られる寸法である。
【００８５】
本実施例において、外形寸法の厚さ５．５ｍｍ、幅５０ｍｍ、端子リード部を除く高さ６０ｍｍの１セルのポリマーリチウムイオン電池が作製された。この場合、そのセルの対角寸法は、７７ｍｍとなった。
このとき、１セルの電池の厚さに対する対角寸法は、１４．０倍である。
【００８６】
次に、第２の実施例の電池ブロックの作成について図７及び図８を参照して説明する。
本実施例は、予め制御回路が接続されているフレキシブル基板に４セル電池を一度に接続して１セルブロックを構成し、これら２セルブロックを接続する構成である。
【００８７】
図７に示すように、セル電池３０ｇ、３０ｈ、３０ｉ、３０ｊの夫々の正極端子リード１５ｇ、１５ｈ、１５ｉ、１５ｊ及び負極端子リード１６ｇ、１６ｈ、１６ｉ、１６ｊを一度に接続し、４つのセル電池を接続したセル電池ブロックＡを構成する。
【００８８】
同様に、セル電池３０ｋ、３０ｌ、３０ｍ、３０ｎの夫々の正極端子リード１５ｋ、１５ｌ、１５ｍ、１５ｎ及び負極端子リード１６ｋ、１６ｌ、１６ｍ、１６ｎを一度に接続し、４つのセル電池を接続したセル電池ブロックＢを構成する。
【００８９】
この２つのセル電池ブロックＡ，Ｂが接続されたフレキシブル基板１８には予め制御回路３１が接続される。
【００９０】
セル電池の正極端子リード１５ｇ、１５ｈ同士及び負極端子リード１６ｇ、１６ｈの夫々のリードの先端は、夫々同様な溶接端子１７を介在させて共通のフレキシブル基板１８に溶接され、並列接続される。他ののセル電池同士の正極端子リード及び負極端子リードの夫々の先端も同様に溶接端子１７を介してフレキシブル基板１８に溶接される。
【００９１】
次に、フレキシブル基板１８を図示一点鎖線１９で示す位置で矢印に示す方向に折り曲げる。その結果、図８に示すように、並列接続された２セルが対向し、２つのセル電池ブロックＡ，Ｂが配置されて一体化された電池ブロックが完成する。
【００９２】
このとき、制御回路３１は、折曲されて得られる２つのセル電池ブロックＡ，Ｂの位置に対して、フレキシブル基板１８上で任意の位置に配置できる。
このようにして得られた制御回路３１を含む電池ブロック全体のサイズは、厚み１１ｍｍ、幅１２２ｍｍ、高さ１０５ｍｍである。
【００９３】
上記電池ブロックは、セル電池ブロックＤの側面にコネクタ３２を配設し、２つのセル電池ブロックＡ，Ｂ，制御回路３１及びコネクタ３２で本実施例のバッテリーパックを構成する。このバッテリーパックの容量は、４５Ｗｈであった。
【００９４】
このバッテリーパックの電池ブロック部分は、内寸法が厚み１１ｍｍ、幅１２５ｍｍ、高さ１０５ｍｍサイズのドライブ−ベイ内のスロットに着脱自在に装着可能である。
【００９５】
実施例３
次に、図９及び図１０を参照して本発明の第３の実施例について説明する。
この第３の実施例における１セルのポリマーリチウムイオン二次電池の製造工程は、第１の実施例における製造工程と基本的に同一である。
【００９６】
図９及び図１０に示す１セル電池の外形寸法は、第１の実施例において、正極原反及び負極原反を裁断して帯状の正極及び負極を形成する際の裁断幅を替えることによって製作された巻回電極体に対し、深絞り成形するアルミラミネートフィルムの外装材のサイズを変えて得られる寸法である。
【００９７】
本実施例において、外形寸法の厚さ１０．５ｍｍ、幅５０ｍｍ、端子リード部を除く高さ５８ｍｍの１セルのポリマーリチウムイオン電池が作製された。このとき、１セルの電池の厚さに対する対角寸法は、６倍である。
【００９８】
次に、第３の実施例の電池ブロックの作成について図９及び図１０を参照して説明する。
本実施例は、図９に示すように、セル電池３０ｏの正極端子リード１５ｏ、負極端子リード１６ｏ、及びセル電池３０ｐの正極端子リード１５ｐ、負極端子リード１６ｐを直列接続して１セルブロックを構成する。
【００９９】
他のセル電池３０ｑの正極端子リード１５ｑ、負極端子リード１６ｑ、及びセル電池３０ｒの正極端子リード１５ｒ、負極端子リード１６ｒを予め制御回路３１が接続してある共通のフレキシブル基板１８に直列接続して他の１セルブロックを構成する。これら２つのセルブロックを直列接続する構成である。
【０１００】
セル電池の正極端子リード１５ｏ乃至１５ｒ及び負極端子リード１６ｏ乃至１６ｒの夫々のリード先端は、夫々同一の溶接端子１７を介在させて共通のフレキシブル基板１８に溶接され、接続される。
【０１０１】
制御回路３１は、２つのセル電池ブロックの位置に対して、フレキシブル基板１８上で任意の位置に配置できる。
【０１０２】
図１０に示すように、このようにして得られた制御回路３１を含む電池ブロック全体のサイズは、厚さ１１ｍｍ、幅１２５ｍｍ、高さ１０５ｍｍである。
上記電池ブロックの任意のセル電池の側面にコネクタ３２を配設し、４つのセル電池３０ｏ、３０ｐ、３０ｑ、３０ｒ、制御回路３１及びコネクタ３２で本実施例のバッテリーパックを構成する。このバッテリーパックの容量は、４６Ｗｈであった。
【０１０３】
このバッテリーパックの電池ブロック部分は、内寸法が厚み１１ｍｍ、幅１２５ｍｍ、高さ１０５ｍｍサイズのドライブ−ベイの筐体内スロットに着脱自在に装着可能である。
【０１０４】
実施例４
次に、図１１及び図１２を参照して本発明の第４の実施例について説明する。
この第４の実施例における１セル電池の製造工程は、第１の実施例における製造工程と基本的に同一である。
【０１０５】
図１１及び図１２に示す１セル電池の外形寸法は、第１の実施例において、正極原反及び負極原反を裁断して帯状の正極及び負極を形成する際の裁断幅を替えることによって製作された巻回電極体に対し、深絞り成形するアルミラミネートフィルムの外装材のサイズを変えて得られる寸法である。
【０１０６】
本実施例において、外形寸法の厚さ１０ｍｍ、幅３４ｍｍ、端子リード部を除く高さ１１０ｍｍの１セルのポリマーリチウムイオン電池が作製された。このとき、１セルの電池の厚さに対する対角寸法は、１０．９倍である。
【０１０７】
次に、第４の実施例の電池ブロックの作製について図１１及び図１２を参照して説明する。
本実施例は、セル電池３０ｓの正極端子リード１５ｓ、負極端子リード１６ｓ、及びセル電池３０ｔの正極端子リード１５ｔ、負極端子リード１６ｔ、及びセル電池３０ｕの正極端子リード１５ｕ、負極端子リード１６ｕを順次、直列接続して電池ブロックを構成する。
【０１０８】
この電池ブロックに制御回路３１を接続する構成である。
セル電池の正極端子リード１５ｓ乃至１５ｕ及び負極端子リード１６ｓ乃至１６ｔ夫々のリード先端は、夫々同一の溶接端子１７を介在させて共通の可撓性基板１８に溶接され、接続される。
制御回路３１も可撓性基板１８に配置される。
【０１０９】
このようにして得られた制御回路３１を含む電池ブロック全体のサイズは、厚み１１ｍｍ、幅１０５ｍｍ、高さ１２０ｍｍである。
上記電池ブロックの任意のセル電池の側面にコネクタ３２を配設し、３つのセル電池３０ｓ、３０ｔ、３０ｕ、制御回路３１及びコネクタ３２で本実施例のバッテリーパックを構成する。
このバッテリーパックの容量は、４７Ｗｈであった。
【０１１０】
このバッテリーパックの電池ブロック部分は、内寸法が厚み１１ｍｍ、幅１０５ｍｍ、高さ１２０ｍｍサイズのドライブ−ベイの筐体内スロットに着脱自在に装着可能である。
【０１１１】
上述した本発明の第１乃至第４の実施例においては、１セル電池の外形寸法は、１セルの厚さが１０ｍｍ以上で、厚さに対する対角寸法が６．０倍以上で１１．０倍以下となり、大きい容量を許容できることとなった。
【０１１２】
また、１セル電池の外形寸法は、１セルの厚さが５ｍｍ以上で、厚さに対する対角寸法が１３倍以上で２０倍以下となり、ドライブ−ベイ内のスロットに着脱可能な大きい容量を許容できることとなり、パーソナルコンピュータ等の長時間の使用を可能にした。
【０１１３】
図１３は、ノートブックコンピュータ４０のベイ−スロットに４１に装着されていたＣＤや、ＤＶＤ等のディスク装置４２を取り出した後、本発明の電池ブロックを内包して構成されているバッテリーパック４３が、接続部３２ａとコネクタ３２ｂを結合した後、ディスク装置４２に換えてベイ−スロットに４１内に挿着されることを図示している。
【０１１４】
次に、上述した本発明の第１乃至第４の実施例が数値的にも優れていることを他の比較例を示し説明する。
第１の比較例
この第１の比較例における非水電解質電池の１セルを構成する際の工程における偏平形状とされた渦巻き状の巻回電極体は、本発明の第１の実施例における複数セルを直並列接続して構成される電池ブロックを製作する際の、正極及び負極集電体に塗布される正極及び負極合剤スラリー塗布の長さ又は、帯状の裁断幅を替えて電極を作製する。正極及び負極端子リードを外部に導出した巻回電極体を金属性の缶内に挿入した後に、絶縁加工した蓋を缶上部にレーザ溶接し、電解液を注入後に封入して、厚さ１０．５ｍｍ，幅３４ｍｍ，高さ５０ｍｍのリチウムイオン電池を作製した。
この時の電池の厚さ１０．５ｍｍに対する対角寸法は、５．７倍に過ぎない。
【０１１５】
図１４に示すように、リチウムイオン電池４４を２セル並列接続したセル電池ブロックＡ，Ｂ，Ｃを作製し、３セル電池ブロックＡ，Ｂ，Ｃを直列接続することで一体化された電池ブロックが完成し、次いで制御回路３１を接続する。この制御回路３１を含む電池ブロック全体のサイズは、厚み１１ｍｍ、幅１０２ｍｍ、高さ１０５ｍｍである。
【０１１６】
この電池ブロックは、セル電池ブロックの側面にコネクタが配設されバッテリーパックを構成する。
このバッテリーパックの電池ブロック部分を、内寸法が厚み１１ｍｍ、幅１２５ｍｍ、高さ１０５ｍｍサイズのドライブ−ベイ内のスロットに着脱自在に装着した。
このときのバッテリーパックの容量は、４０Ｗｈであった。
【０１１７】
第２の比較例
この第２の比較例における１セルのポリマーリチウムイオン二次電池の製造工程は、第１の実施例における製造工程と基本的に同一である。
セルの厚さ５．５ｍｍ，幅４０ｍｍ，高さ６０ｍｍのポリマーリチウムイオン電池を作製した。
【０１１８】
この時の電池の厚さ５．５ｍｍに対する対角寸法は、１３倍に過ぎない。この１セル電池に制御回路の一部を溶接し、本発明の第１の実施例と同様に２セル並列接続したセル電池ブロックを作製し、３セル電池ブロックを直列接続することで一体化された電池ブロックが完成する。
この制御回路を含む電池ブロック全体のサイズは、厚み１１ｍｍ、幅１０２ｍｍ、高さ１０５ｍｍである。
【０１１９】
この電池ブロックは、セル電池ブロックの側面にコネクタを配設し、バッテリーパックを構成する。
このバッテリーパックの電池ブロック部分を、内寸法が厚み１１ｍｍ、幅１２５ｍｍ、高さ１０５ｍｍサイズのドライブ−ベイ内のスロットに着脱自在に装着した。
このときのバッテリーパックの容量は、３６Ｗｈであった。
【０１２０】
本発明の第１乃至第４の実施例と第１及び第２の比較例の数値的比較を示す表を以下に示す。
【０１２１】
【表１】
2004095357.tif 000003
【０１２２】
【表２】
2004095357.tif 000004
【０１２３】
ここで、試験体１（ポリマー）：
ＵＰ５５４１１００−６セルパック４９Ｗｈ
（厚さ５．５ｍｍ、幅４１ｍｍ、長さ１００ｍｍ）
試験体２：（ポリマー）：
ＵＰ５５５０６０−８セルパック４５Ｗｈ
（厚さ５．５ｍｍ、幅５０ｍｍ、長さ６０ｍｍ）
試験体３（ポリマー）：
ＵＰ１０５０５８−４セルパック４６Ｗｈ
（厚さ１０．５ｍｍ、幅５０ｍｍ、長さ５８ｍｍ）
試験体４：（ポリマー）：
ＵＰ１０３４１１０−３セルパック４７Ｗｈ
（厚さ１０．５ｍｍ、幅３４ｍｍ、長さ１１０ｍｍ）
試験体５（角形）：
ＵＰ１０３４５０−６セルパック４０Ｗｈ
（厚さ１０．５ｍｍ、幅３４ｍｍ、長さ５０ｍｍ）
試験体６：（ポリマー）：
ＵＰ５５４０６０−８セルパック３６Ｗｈ
（厚さ５．５ｍｍ、幅４０ｍｍ、長さ６０ｍｍ）
で夫々表わされる。
【０１２４】
上記表１及び表２から明らかなように、比較例１及び比較例２のいずれよりも、本発明の実施例１乃至４で示したセルの厚みに対角寸法及び容量の数値が優れていることが判る。
尚、本発明のバッテリーパックは、外部ケーブルを介してコネクタとパーソナルコンピュータとを接続することもできる。
【０１２５】
【発明の効果】
以上説明したように、本出願の請求項１記載の電池ブロックによれば
非水電解質電池を１セルとし、複数セルを直並列接続することによって定まる外形寸法をもって、交換機器と互換可能サイズとし、許容容量を拡大できた。
また、正極端子リード及び負極端子リードを外部に導出させた構造なので複数個を直列及び／又は並列に接続する際に、フレキシブル基板上に正極端子リード及び負極端子リード群を位置合わせをして一度に溶接できるため加工性がよい。
【０１２６】
本出願の請求項２記載の電池ブロックによれば、正極端子リード及び負極端子リードを同一平面上で外部に導出させた非水電解質電池を１セルとし、６セルを直並列接続することによって、許容容量を拡大できる外形寸法を定め、交換機器と互換可能サイズとした。
【０１２７】
本出願の請求項３記載の電池ブロックによれば、非水電解質電池を１セルとし、直並列接続された６セルの夫々の正極及び負極端子リードを可撓性基板に溶接した後、上記可撓性基板を折曲することにより対向するセル同士を重ね合わせる構成とすることにより、その外形寸法を交換機器と互換可能サイズとした。
【０１２８】
本出願の請求項４記載の電池ブロックによれば、正極端子リード及び負極端子リードを同一平面上で外部に導出させた非水電解質電池を１セルとし、８セルを直並列接続することによって、許容容量を拡大できる外形寸法を定め、交換機器と互換可能サイズとした。
【０１２９】
本出願の請求項５記載の電池ブロックによれば、非水電解質電池を１セルとし、直並列接続された６セルの夫々の正極端子リード及び負極端子リードをフレキシブル基板に溶接した後、上記フレキシブル基板を折曲することにより対向するセル同士を重ね合わせる構成とすることにより、その外形寸法を交換機器と互換可能サイズとした。
【０１３０】
本出願の請求項６記載の電池ブロックによれば、正極端子リード及び負極端子リードを同一平面上で外部に導出させた非水電解質電池は、外形寸法がセルの厚み５ｍｍ以上のとき、上記セルの厚みに対する対角寸法が１３倍以上で２０倍以下であるように定めることができ、非水電解質電池の１セルの厚みに対する対角寸法を大きく取ることにより容量を増し、パーソナルコンピュータ等の長時間使用の要望に応えることができる。
【０１３１】
本出願の請求項７記載の電池ブロックによれば、４セルの正極端子リード及び負極端子リードを同一平面上で外部に導出させた非水電解質電池を直列接続することで容量を拡大することができた。
【０１３２】
本出願の請求項８記載の電池ブロックによれば、非水電解質電池を１セルとし、直列接続された４セルの夫々の正極及び負極端子リードを可撓性基板に溶接した後、その外形寸法を交換機器と互換可能サイズとした。
【０１３３】
本出願の請求項９記載の電池ブロックによれば、３セル夫々の正極端子リード及び負極端子リードを同一平面上で外部に導出させた非水電解質電池を直列接続して構成することでも容量を拡大することができ、３セル非水電解質電池を並設した外形寸法で交換機器と互換可能とした。
【０１３４】
本出願の請求項１０記載の電池ブロックによれば、１セルの正極端子リード及び負極端子リードを同一平面上で外部に導出させた非水電解質電池は、外形寸法がセルの厚み１０ｍｍ以上のとき、上記セルの厚みに対する対角寸法が６倍以上で１１倍以下であるように定めることができ、非水電解質電池の１セルの厚みに対する対角寸法を大きく取ることにより容量を増し、パーソナルコンピュータ等の長時間使用の要望に応えることができる。
【０１３５】
本出願の請求項１０記載のバッテリーパックによれば、交換機器と互換可能とすることにより、拡張性、携帯性を損なうことなくパーソナルコンピュータ等の長時間の使用を可能とできる効果を得ることが出来る。
【図面の簡単な説明】
【図１】本発明の一実施形態である巻回電極体を構成する以前の帯状状態の各層の配置を模式的に示す図である。
【図２】本発明の一実施形態である巻回電極体の構成を示す斜視図である。
【図３】本発明の外装体及び発電要素の形状を示す分解斜視図である。
【図４】図３に示す外装体及び発電要素の組み立て後の斜視図である。
【図５】本発明の第１の実施例を示す複数セル電池の接続関係を示す図である。
【図６】図６は、図５に示す同実施例における電池ブロックの外形を示す斜視図である。
【図７】本発明の第２の実施例を示す複数セル電池の接続関係を示す図である。
【図８】図８は、図７に示す同実施例における電池ブロックの外形を示す斜視図である。
【図９】本発明の第３の実施例を示す複数セル電池の接続関係を示す図である。
【図１０】図１０は、図９に示す同実施例における電池ブロックの外形を示す斜視図である。
【図１１】本発明の第４の実施例を示す複数セル電池の接続関係を示す図である。
【図１２】図１２は、図１１に示す実施例における電池ブロックの外形を示す斜視図である。
【図１３】本発明のバッテリーパックがノートブックコンピュータに対して交換機器と互換可能であることを説明する斜視図である。
【図１４】本発明との比較例を示す複数セルのリチウムイオン電池から成る電池ブロックの接続関係を示す図である。
【符号の説明】
５　発電要素、　６　外装体、　３０　ポリマーリチウムイオン二次電池、　１５　正極端子リード、　１６　負極端子リード、　１７　溶接端子、　１８　フレキシブル基板、　３０　セル電池ブロック、３１　制御回路、　３２　コネクタ
【図１】
2004095357.tif 000005
【図２】
2004095357.tif 000006
【図３】
2004095357.tif 000007
【図４】
2004095357.tif 000008
【図５】
2004095357.tif 000009
【図６】
2004095357.tif 000010
【図７】
2004095357.tif 000011
【図８】
2004095357.tif 000012
【図９】
2004095357.tif 000013
【図１０】
2004095357.tif 000014
【図１１】
2004095357.tif 000015
【図１２】
2004095357.tif 000016
【図１３】
2004095357.tif 000017
【図１４】
2004095357.tif 000018